(57)【要約】【課題】流水で締めて水切りを行うことができ、しかも、流水で締めた後は、麺を移し替える必要がなく、そのままの状態で麺を食することができる麺類包装用容器を提供する。【解決手段】各コーナ部が円弧状に湾曲した平面略長方形のトレー状の容器本体１０と、この容器本体１０の一方の短辺側にミシン目付きのヒンジ部１Ａを介して開閉可能に連設された蓋体２０とから構成されている。蓋体２０は、容器本体１０の開放された上端開口部の半分弱の面積を有する注水用開口部Ｍが容器本体１０の長手方向の片側に形成されるように、開放された上端開口部を部分的に閉塞する大きさを有しており、蓋体２０には、直径が２〜５ｍｍ程度の円形の多数の水抜き用小孔２１ａが形成されている。【選択図】        図１
2012071864.tif 000002
【特許請求の範囲】
【請求項１】
麺類を収容する麺類包装用容器であって、
上面が開放された容器本体と、
前記容器本体の開放された上面を、片側に注水用開口部が形成されるように部分的に閉塞する、前記容器本体に着脱自在に装着される蓋体と
を有し、
前記蓋体には、多数の水抜き用小孔が形成されていることを特徴とする麺類包装用容器。
【請求項２】
麺類を収容する麺類包装用容器であって、
上面が開放された容器本体と、
前記容器本体の開放された上面を、片側に注水用開口部が形成されるように部分的に閉塞する、前記容器本体の上端部に開閉可能に連設された蓋体と
を有し、
前記蓋体には、多数の水抜き用小孔が形成されていることを特徴とする麺類包装用容器。
【発明の詳細な説明】
【技術分野】
【０００１】
この発明は、麺を水で締めて食する冷麺、素麺、ざるそば、冷やしうどん等の冷製麺類を収容するのに適した麺類包装用容器に関する。
【背景技術】
【０００２】
この種の麺類包装用容器としては、例えば、図１２（ａ）、（ｂ）に示すように、上面が開放されたトレー状の麺類包装用容器５０がある。この麺類包装用容器５０は、茹でた麺Ｎを収容した状態で内袋に密封包装し、液体つゆや加薬を充填した小袋と共に外袋に密封包装した状態で冷凍して保管、陳列販売するようになっており、底面には、水切り用のざるとして使用することができるように、多数の水抜き用小孔５１が形成されている。
【０００３】
購入者が麺Ｎを食する際は、外袋を開封して、内袋を開封することなくそのままの状態で電子レンジに入れて凍った麺Ｎを解凍し、麺Ｎがある程度柔らかくなった時点で電子レンジから取り出して内袋を開封し、麺Ｎが入った麺類包装用容器５０内に水を注ぎながら麺Ｎを締めた後、水切りを行った麺Ｎを丼等の別の器に移し替えて液体つゆをかけると共に加薬等をふりかけることになる。
【先行技術文献】
【特許文献】
【０００４】
【特許文献１】特開２００５−２１９７８４号公報
【発明の概要】
【発明が解決しようとする課題】
【０００５】
ところで、この麺類包装用容器５０は、上述したように、麺Ｎを流水で締める際、水切り用のざるとして使用することができるので、水切り用のざるを別途用意する必要はないが、水切りを行った麺Ｎを別の容器に移し替えなければならないので、麺Ｎを移し替えるための器を別途用意しなければならないという問題がある。
【０００６】
こういった問題を解決するには、底面に多数の水抜き用小孔が形成されたトレー状の水切り用ざると、この水切り用ざるが嵌合する一回り大きいトレー状の容器本体とによって麺類包装用容器を構成し、容器本体を取り外して、麺の入った水切り用のざるに水を注ぎながら麺を締めた後、取り外した容器本体に水切りを行った麺を移し替えるようにすることが考えられるが、麺類包装用容器の製造コストが高くなると共に麺を移し替えるための手間がかかるという問題があり、概ね同様の大きさを有する水切り用ざると容器本体との双方を廃棄することになるので、廃棄ゴミが増えるという問題もある。
【０００７】
そこで、この発明の課題は、流水で締めて水切りを行うことができ、しかも、流水で締めた後は、麺を移し替える必要がなく、そのままの状態で麺を食することができる麺類包装用容器を提供することにある。
【課題を解決するための手段】
【０００８】
上記の課題を解決するため、請求項１に係る発明は、麺類を収容する麺類包装用容器であって、上面が開放された容器本体と、前記容器本体の開放された上面を、片側に注水用開口部が形成されるように部分的に閉塞する、前記容器本体に着脱自在に装着される蓋体とを有し、前記蓋体には、多数の水抜き用小孔が形成されていることを特徴とする麺類包装用容器を提供するものである。
【０００９】
また、上記の課題を解決するため、請求項２に係る発明は、麺類を収容する麺類包装用容器であって、上面が開放された容器本体と、前記容器本体の開放された上面を、片側に注水用開口部が形成されるように部分的に閉塞する、前記容器本体の上端部に開閉可能に連設された蓋体とを有し、前記蓋体には、多数の水抜き用小孔が形成されていることを特徴とする麺類包装用容器を提供するものである。
【発明の効果】
【００１０】
以上のように構成された請求項１に係る発明の麺類包装用容器では、麺を収容した容器本体に蓋体を取り付け、容器本体の上面に形成された注水用開口部が上側を、蓋体が下側を向くように、容器本体を斜めに立てた状態で、上側に位置している注水用開口部から流水を注ぎ込んで、蓋体に形成された多数の水抜き用小孔から排水しながら麺を流水で締めた後、水切りを行って蓋を取り外すと、水切りされた麺が容器本体に収容された状態となっているので、麺を別の器に移し替えるための手間がなく、麺を移し替えるための器を別途用意する必要もない。
【００１１】
また、以上のように構成された請求項２に係る発明の麺類包装用容器では、麺を収容した容器本体の開放された上面を、容器本体に連設された蓋体を閉じることによって部分的に閉塞し、容器本体の上面に形成された注水用開口部が上側を、蓋体が下側を向くように、容器本体を斜めに立てた状態で、上側に位置している注水用開口部から流水を注ぎ込んで、蓋体に形成された多数の水抜き用小孔から排水しながら麺を流水で締めた後、水切りを行って蓋を開くと、水切りされた麺が容器本体に収容された状態となっているので、麺を別の器に移し替えるための手間がなく、麺を移し替えるための器を別途用意する必要もない。
【００１２】
また、蓋体は容器本体に比べて扁平で小さいので、概ね同様の大きさを有する水切り用ざると容器本体とによって麺類包装用容器を構成する場合に比べて、麺類包装用容器の製造コストを抑えることができると共に、使用後の廃棄ゴミを最小限に抑えることができる。
【図面の簡単な説明】
【００１３】
【図１】この発明に係る麺類包装用容器の一実施形態を示す斜視図である。
【図２】（ａ）は同上の麺類包装用容器を示す平面図、（ｂ）は同上の麺類包装用容器を示す正面図、（ｃ）は同上の麺類包装用容器を示す左側面図、（ｄ）は同上の麺類包装用容器を示す右側面図である。
【図３】（ａ）は同上の麺類包装用容器の蓋体を閉じた状態を示す平面図、（ｂ）は同上の麺類包装用容器の蓋体を閉じた状態を示す正面図、（ｃ）は同上の麺類包装用容器の蓋体を閉じた状態を示す側面図である。
【図４】図３（ａ）のＸ−Ｘ線に沿った部分断面図である。
【図５】同上の麺類包装用容器の使用方法を説明するための説明図である。
【図６】同上の麺類包装用容器の使用方法を説明するための説明図である。
【図７】同上の麺類包装用容器の使用方法を説明するための説明図である。
【図８】同上の麺類包装用容器における容器本体の変形例を示す側面図である。
【図９】（ａ）は蓋体の変形例が装着された麺類包装用容器を示す斜視図、（ｂ）は容器本体に対する蓋体の嵌合状態を示す部分断面図である。
【図１０】他の実施形態である麺類包装用容器を示す分解斜視図である。
【図１１】他の実施形態である麺類包装用容器を示す平面図である。
【図１２】（ａ）は従来例を示す平面図、（ｂ）は同上の従来例を示す側面図である。
【発明を実施するための形態】
【００１４】
以下、実施の形態について図面を参照して説明する。図１は、麺を水で締めて食する冷麺、素麺、ざるそば、冷やしうどん等の冷製麺類を収容する麺類包装用容器１を示している。この麺類包装用容器１は、図１、図２（ａ）〜（ｄ）及び図３（ａ）〜（ｃ）に示すように、各コーナ部が円弧状に湾曲した平面略長方形のトレー状の容器本体１０と、この容器本体１０に開閉可能に連設された蓋体２０とから構成されており、容器本体１０及び蓋体２０は、電子レンジで解凍する際に自己発熱して溶融しない素材、例えば、ポリスチレン系樹脂、ポリエチレン系樹脂、ポリプロピレン系樹脂、ポリエステル系樹脂等からなる熱可塑性合成樹脂によって形成されている。
【００１５】
前記容器本体１０は、底壁１１の周縁から立ち上がる周壁１２の上端部に、一回り大きい段部１３が形成されていると共に、その段部１３の上端縁からフランジ１４が外側に張り出しており、容器本体１０の一方の短辺側のフランジ１４の直線部分の外縁に、蓋体２０がミシン目付きのヒンジ部１Ａを介して連設されている。
【００１６】
前記蓋体２０は、直径が２〜５ｍｍ程度の円形の多数の水抜き用小孔２１ａが形成された蓋板２１と、この蓋板２１の周縁部に形成された、容器本体１０の段部１３に内嵌合される嵌合部２２と、この嵌合部２２の上端縁から外側に張り出すフランジ２３とから構成されており、容器本体１０の開放された上端開口部の半分弱の面積を有する注水用開口部Ｍが容器本体１０の長手方向の片側に形成されるように、開放された上端開口部を部分的に閉塞する大きさを有している。
【００１７】
蓋体２０は、図４に示すように、その嵌合部２２が容器本体１０の段部１３に内嵌合されることによって、容器本体１０に保持されるようになっているが、蓋体２０の先端縁は、容器本体１０の段部１３に嵌合することはないので、容器本体１０に対する蓋体２０の嵌合がより堅くなるように、容器本体の段部１３における蓋体２０の先端コーナ部に対応する部分には、蓋体２０の嵌合部２２が係合する突起１５が形成されている。
【００１８】
図５に示すように、上述した冷麺、素麺、ざるそば、冷やしうどん等の麺Ｎは、茹でた状態で麺類包装用容器１の容器本体１０に収容され、蓋体２０を閉じて容器本体１０の上端開口部を部分的に閉塞した状態で内袋に密封包装され、液体つゆや加薬を充填した小袋と共に外袋に密封包装した状態で冷凍して保管、陳列販売される。
【００１９】
購入者が麺を食する際は、まず、外袋を開封して、内袋を開封することなくそのままの状態で電子レンジに入れて凍った麺Ｎを解凍し、麺Ｎがある程度柔らかくなった時点で電子レンジから取り出して内袋を開封する。
【００２０】
続いて、内袋から取り出した麺類包装用容器１を、図６に示すように、容器本体１０の上面開口部に形成された注水用開口部Ｍが上側を、蓋体２０が下側を向くように、容器本体１０を斜めに立てた状態で、上側に位置している注水用開口部Ｍから流水を注ぎ込んで、蓋体２０に形成された多数の水抜き用小孔２１ａから排水しながら麺Ｎを流水で締める。
【００２１】
最後に、水切りを行って蓋体２０を開き、蓋体２０をミシン目付きのヒンジ部１Ａ部分で容器本体１０から切り離すと、図７に示すように、容器本体１０に水切りされた麺Ｎが収容された状態となっているので、麺を他の器に移し替えることなく、容器本体１０に収容された麺に液体つゆをかけると共に加薬等をふりかけ、そのままの状態で食することができる。
【００２２】
以上のように、この麺類包装用容器１は、解凍した麺を流水で締める際には、水切り用のざるとして使用することができると共に、麺を流水で締めた後は、蓋体２０を容器本体１０から切り離して、器としても使用することができるので、麺を別の器に移し替えるための手間がなく、麺を移し替えるための器を別途用意する必要もないので、使い勝手がよい。
【００２３】
また、蓋体２０は容器本体１０に比べて扁平で小さいので、概ね同様の大きさを有する水切り用ざると容器本体とによって麺類包装用容器を構成する場合に比べて、麺類包装用容器の製造コストを抑えることができると共に、使用後の廃棄ゴミを最小限に抑えることができる。
【００２４】
なお、上述した実施形態では、蓋体２０がミシン目付きのヒンジ部１Ａを介して容器本体１０に連設されているが、蓋体２０は容器本体１０から切り離さなくても、器として使用することはできるので、ミシン目付きのヒンジ部１Ａに代えて、破断用のミシン目が形成されていない通常のヒンジ部を採用することも可能である。
【００２５】
また、上述した実施形態では、多数の水抜き用小孔２１ａを蓋板２１の周縁を除いて略均等に配置しているが、これに限定されるものではなく、例えば、容器本体１０の長手方向の中央部側（蓋体２０の先端部側）における水抜き用小孔２１ａの形成密度を大きくしておくと、麺を流水で締めるために、図６に示すような状態で使用する際、注水用開口部Ｍから容器本体１０に注ぎ込んでいる流水量が多少多くなっても、容器本体１０内における水位が最上位の水抜き用小孔２１ａの形成位置よりも上昇しにくく、蓋体２０の先端側から溢れにくくなるので、麺の流出を抑えることができる。
【００２６】
また、上述した実施形態では、水抜き用小孔２１ａを蓋体２０にだけ形成しているが、これに限定されるものではなく、例えば、図８に示すように、容器本体１０における蓋体２０の連設端側の周壁１２の上端部にも水抜き用小孔１２ａを形成しておくことで、さらに水抜き効果を高めることができる。
【００２７】
また、上述した実施形態では、直径が２〜５ｍｍ程度の円形の水抜き用小孔２１ａ、１２ａを蓋体２０や容器本体１０に形成しているが、水抜き用小孔２１ａ、１２ａの孔径や形状は特に限定されるものではなく、収容する麺類の太さや形状等に応じて適宜設定すればよい。
【００２８】
また、上述した各実施形態では、蓋体２０の嵌合部２２が容器本体１０の段部１３に内嵌合されるようになっているが、これに限定されるものではなく、例えば、図９（ａ）、（ｂ）に示すように、側面部分だけにフランジ２３の先端縁から垂下する垂下片２４を連設し、内嵌合だけではなく、外嵌合を併用するようにしてもよく、さらに、内嵌合に代えて外嵌合を採用したり、部分的な凹凸嵌合を採用したりすることも可能である。
【００２９】
また、上述した麺類包装用容器１のように、蓋体が開閉可能に容器本体に連設される場合は、手で押さえることによって、蓋体を容器本体に保持することができるので、必ずしも、蓋体を容器本体に嵌合させて保持する必要はない。
【００３０】
また、上述した実施形態では、容器本体１０の上端開口部の半分強の面積を閉塞する大きさの蓋体２０を採用しているが、蓋体２０の大きさは特に限定されるものではなく、十分な注水用開口部Ｍを確保することができるのであれば、蓋体２０はできるだけ大きい方が望ましい。
【００３１】
また、蓋体２０は、必ずしも、容器本体１０に連設されている必要はなく、例えば、図１０に示す麺類包装用容器２のように、容器本体１０に着脱可能な独立した蓋体２０Ａを採用することも可能である。ただし、麺類包装用容器１のように、蓋体２０が容器本体１０に連設されていると、麺を流水で締めるために、図６に示すような状態で使用する際、少なくとも、蓋体２０の下端部（基端部）が容器本体１０から外れることがなく、容器本体１０の下端からの麺の流出を確実に防止することができる。
【００３２】
また、上述した各実施形態では、蓋体２０、２０Ａが、容器本体１０の開放された上端開口部の半分弱の面積を有する注水用開口部Ｍが容器本体１０の長手方向の片側に形成されるように、開放された上端開口部を部分的に閉塞する大きさを有しているが、これに限定されるものではなく、例えば、図１１に示す麺類包装用容器３のように、容器本体１０の上端部の全周にわたって嵌合する、容器本体１０の上端開口部と略同一サイズの蓋体２０Ｂを採用し、この蓋体２０Ｂに注水用開口部Ｍを形成するようにしてもよい。
【００３３】
また、上述した各実施形態では、各コーナ部が円弧状に湾曲した平面略長方形のトレー状の容器本体１０を採用しているが、これに限定されるものではなく、例えば、丼形状やお椀形状の容器本体を採用することも可能である。
【００３４】
また、上述した実施形態では、麺を流水で締めて食する冷麺、素麺、ざるそば、冷やしうどん等の冷製麺類を収容する麺類包装用容器１について説明したが、本発明の麺類包装用容器は、流水で締めた後、暖かいつゆをかけて食する麺類を収容する麺類包装用容器として使用することも可能である。
【産業上の利用可能性】
【００３５】
本発明は、麺を水で締めて食する冷麺、素麺、ざるそば、冷やしうどん等の冷製麺類を収容する麺類包装用容器として利用することができる。
【符号の説明】
【００３６】
１、２、３  麺類包装用容器
１Ａ  ミシン目付きのヒンジ部
１０  容器本体
１１  底壁
１２  周壁
１２ａ  水抜き用小孔
１３  段部
１４  フランジ
１５  突起
２０、２０Ａ、２０Ｂ  蓋体
２１  蓋板
２１ａ  水抜き用小孔
２２  嵌合部
２３  フランジ
２４  垂下片
Ｍ  注水用開口部
Ｎ  麺
【図１】
2012071864.tif 000003
【図２】
2012071864.tif 000004
【図３】
2012071864.tif 000005
【図４】
2012071864.tif 000006
【図５】
2012071864.tif 000007
【図６】
2012071864.tif 000008
【図７】
2012071864.tif 000009
【図８】
2012071864.tif 000010
【図９】
2012071864.tif 000011
【図１０】
2012071864.tif 000012
【図１１】
2012071864.tif 000013
【図１２】
2012071864.tif 000014